(57)【要約】【課題】  スペースを採らずに済み、しかも経済的となる光、電気複合コネクタ装置を提供する。【解決手段】  既存の電源用コネクタプラグ（１）の前端に光コネクタ１１の相手方光コネクタ３１との接続部分を突設する。相手方光コネクタ３１は、電源用コネクタプラグ（１）を接続する壁埋め込み式もしくは中継式のいずれかによる既存の電源用コネクタ２１の前端に内設して成るものとする。【選択図】          図５
2006210032.tif 000002
【特許請求の範囲】
【請求項１】
既存の電源用コネクタプラグの前端に光コネクタの相手方光コネクタとの接続部分を突設したことを特徴とする光、電気複合コネクタ装置。
【請求項２】
相手方光コネクタは、電源用コネクタプラグを接続する既存の電源用コネクタの前端に内設して成る請求項１記載の光、電気複合コネクタ装置。
【請求項３】
電源用コネクタは、壁埋め込み式もしくは中継式のいずれかである請求項２記載の光、電気複合コネクタ装置。
【発明の詳細な説明】
【技術分野】
【０００１】
本発明は、機器に電力と光通信信号を一つのコネクタで供給できるようにした光、電気複合コネクタ装置に関する。
【背景技術】
【０００２】
従来から、この種の装置としては、特許文献１に開示されているように、光コネクタ、電気コネクタそれぞれを上下に並設して一体構成された光、電気複合コネクタと、これに対応して光コネクタプラグ、電気コネクタプラグそれぞれを上下に並設して一体構成された光、電気コネクタプラグとを備えたプラグイン方式の光、電気複合コネクタ装置が提供されている。
【特許文献１】特開２００３−１５７９２６号公報
【発明の開示】
【発明が解決しようとする課題】
【０００３】
しかしながら、従来の光、電気複合コネクタ装置は基となる標準のコネクタ（例えばＳＣタイプやＭＵタイプ等）に信号回路の通電に使用する電気コネクタを上下に並設して一体成形したもので、大電流の通電には向いていなかった。
【０００４】
そこで、本発明は、叙上のような従来存した諸事情に鑑みなされたもので、従来から存在する電源用コネクタ（プラグ）自体に光コネクタ（プラグ）を付属させることで、スペースを採らずに済み、しかも経済的となる光、電気複合コネクタ装置を提供することを目的とする。
【課題を解決するための手段】
【０００５】
上述した課題を解決するため、本発明にあっては、既存の電源用コネクタプラグの前端に光コネクタの相手方光コネクタとの接続部分を突設したことを特徴とする。
【０００６】
また、相手方光コネクタは、電源用コネクタプラグを接続する既存の電源用コネクタの前端に内設して成るものとすることができる。
【０００７】
さらに、電源用コネクタは、壁埋め込み式もしくは中継式のいずれかであるものとすることができる。
【０００８】
以上のように構成された本発明に係る光、電気複合コネクタ装置にあって、電源用コネクタプラグを電源用コネクタに接続すると同時に、電源用コネクタプラグの前端に突設されている光コネクタが、電源用コネクタ前端に内設された相手方光コネクタに接続され、通常行われる電気接続と同時に光ファイバの接続を可能にさせる。
【発明の効果】
【０００９】
本発明によれば、従来から存在する電源用コネクタ（プラグ）自体に光コネクタ（プラグ）を付属させることで、スペースを採らずに済み、しかも経済的となる光、電気複合コネクタ装置を提供することができる。
【発明を実施するための最良の形態】
【００１０】
以下、図面を参照して本発明を実施するための最良の一形態を説明すると、図において示される符号１は、例えばＡＣ１００Ｖ等の家庭用電源の既存の電源用コネクタプラグに光コネクタを組み込んで成るプラグ本体であり、該プラグ本体１は、図１、図３に示すように、２つ割構造をネジ止め固定して成るソケット状のツマミ筐体２内において、電源コードＱの外皮が剥離された両極リード線Ｑ１をネジ止めによって、差し込み用の一対の電気接続用突片部３に各別に接続した既存の構成となっている。
【００１１】
また、図３に示すように、一対の電気接続用突片部３が突出しているツマミ筐体２の前端において当該一対の電気接続用突片部３に挟まれた中央部分には開口部４を設け、後述する光コネクタ１１のハウジング１６を内側から外側へ向けて突出させるようにしてある。
【００１２】
すなわち、光コネクタ１１は、図３および図６に示すように、電源コードＱ内から引き出された光ファイバコードＰにストッパー１２、圧縮コイルバネ１３それぞれを予め挿通しておき、光ファイバコードＰの先端側の外皮を剥離して不図示の心線およびケブラを露出させ、次いで、心線の外皮を剥離して光ファイバＰ１を露出させ、当該光ファイバＰ１をフェルールホルダー１４に挿通した後、フェルール１５の中心孔に挿通固着する。そして、ハウジング１６を前方側から挿入し、圧縮コイルバネ１３をフェルールホルダー１４側へ押圧しながらストッパー１２を前進させて当該ハウジング１６に嵌合固定することで形成される。そして、このハウジング１６をツマミ筐体２の開口部４を介して内側から外側へ向けて突出させている。尚、光コネクタ１１をツマミ筐体２に固定するには凹・凸等適宜の係止手段（不図示）を用いることもできる。
【００１３】
また、プラグ本体１の一対の電気接続用突片部３が差し込まれる電源用コネクタ２１は、図２、図４に示すように、２つ割構造をネジ止め固定して成るソケット状のツマミ筐体２２内において、電源コードＱの外皮が剥離された相手方の両極リード線Ｑ１をネジ止めによって、一対の電気接続用突片部３を差し込む２枚挟持片状の電気接続用差込部２３に各別に接続した既存の構成となっている。
【００１４】
また、図４に示すように、一対の電気接続用差込部２３が突出しているツマミ筐体２２の前端において当該一対の電気接続用差込部２３に挟まれた中央部分には開口部２４を設け、光コネクタ１１の前記ハウジング１６を挿入するための後述する相手方光コネクタ３１の外部ハウジング３７を開口部２４内側に取り付けるようにしてある。
【００１５】
すなわち、相手方光コネクタ３１は、図４および図７に示すように、電源コードＱ内から引き出された光ファイバコードＰにブーツ３２を予め挿通しておき、光ファイバコードＰの先端側の外皮を剥離して不図示の心線およびケブラを露出させ、次いで、心線の外皮を剥離して光ファイバＰ２を露出させ、当該光ファイバＰ２をフェルールホルダー３４に挿通した後、フェルール３５の中心孔に挿通固着する。そして、内部ハウジング３６を前方側から挿入しフェルールホルダー３４側へ嵌合固定した後、これを外部ハウジング３７に挿入固定することで形成される。こうして、相手方光コネクタ３１の内部ハウジング３６は、ツマミ筐体２２の開口部２４内側の外部ハウジング３７内に配置されるものとしている。
【００１６】
次に、本実施の形態に係る光、電気複合コネクタ装置の使用の一例を説明すると、電源用コネクタプラグのプラグ本体１の一対の電気接続用突片部３を、電源用コネクタ２１の一対の電気接続用差込部２３に差し込み接続する。このとき同時にプラグ本体１の前端の開口部４から突設されている光コネクタ１１も、電源用コネクタ２１前端に内設された相手方光コネクタ３１に接続される。これにより、通常行われる電気接続と同時に光ファイバＰ１と相手方光ファイバＰ２との接続が行われる。
【図面の簡単な説明】
【００１７】
【図１】本発明を実施するための最良の形態における光、電気複合コネクタ装置のプラグ本体を示すもので、（ａ）は平面図、（ｂ）は側面図、（ｃ）は底面図、（ｄ）は正面図、（ｅ）は背面図である。
【図２】同じく光、電気複合コネクタ装置の中継式の電源用コネクタの一例を示すもので、（ａ）は平面図、（ｂ）は側面図、（ｃ）は底面図、（ｄ）は正面図、（ｅ）は背面図である。
【図３】同じくプラグ本体の内部構造を示す断面図である。
【図４】同じく中継式の電源用コネクタの内部構造を示す断面図である。
【図５】同じくプラグ本体を電源用コネクタに接続した状態を示す断面図である。
【図６】同じくプラグ本体に組み込まれた光コネクタの内部構造を示す断面図である。
【図７】同じく中継式の電源用コネクタに組み込まれた光コネクタの内部構造を示す断面図である。
【符号の説明】
【００１８】
Ｐ          光ファイバコード
Ｐ１、Ｐ２  光ファイバ
Ｑ          電源コード
Ｑ１        両極リード線
１          プラグ本体
２          ツマミ筐体
３          電気接続用突片部
４          開口部
１１        光コネクタ
１２        ストッパー
１３        圧縮コイルバネ
１４        フェルールホルダー
１５        フェルール
１６        ハウジング
２１        電源用コネクタ
２２        ツマミ筐体
２３        電気接続用差込部
２４        開口部
３１        相手方光コネクタ
３２        ブーツ
３４        フェルールホルダー
３５        フェルール
３６        内部ハウジング
３７        外部ハウジング
【図１】
2006210032.tif 000003
【図２】
2006210032.tif 000004
【図３】
2006210032.tif 000005
【図４】
2006210032.tif 000006
【図５】
2006210032.tif 000007
【図６】
2006210032.tif 000008
【図７】
2006210032.tif 000009